(57)【要約】【課題】麻痺や関節拘縮等の理由により股を大きく開くことができない人に対しても、装着が容易で、迅速かつ簡便に交換作業を行うことができる尿パッドを提供する。【解決手段】吸収体２２と、少なくとも一部が液透過性材料からなり、吸収体２２の表面を被覆するように配置されたトップシート１８と、液不透過性材料からなり、吸収体２２の裏面を被覆するように配置されたバックシート２０と、を備え、幅方向に少なくとも１回折り畳まれ、折り畳まれることによって表面同士又は裏面同士が当接され、当接された表面同士又は裏面同士が、前端部２及び後端部６のうちの少なくとも一方の端部において接合されている尿パッド１Ａ。【選択図】図１Ａ
2010104658.tif 000002
【特許請求の範囲】
【請求項１】
吸収体と、少なくとも一部が液透過性材料からなり、前記吸収体の表面を被覆するように配置されたトップシートと、液不透過性材料からなり、前記吸収体の裏面を被覆するように配置されたバックシートと、を備えた尿パッドであって、
幅方向に少なくとも１回折り畳まれ、
折り畳まれることによって表面同士又は裏面同士が当接され、
当接された表面同士又は裏面同士が、前端部及び後端部のうちの少なくとも一方の端部において接合されている尿パッド。
【請求項２】
当接された表面同士又は裏面同士が、前端部及び後端部のうちの少なくとも一方の端部において剥離可能に仮止めされている請求項１に記載の尿パッド。
【請求項３】
当接された表面同士又は裏面同士が、前後方向の中央部において剥離可能に仮止めされている請求項１又は２に記載の尿パッド。
【請求項４】
接合された前記端部の幅が製品幅よりも狭く構成されている請求項１〜３のいずれか一項に記載の尿パッド。
【請求項５】
前記吸収体は、折り畳まれた際に折り目となる位置に沿って、凹部又は打ち抜き部が形成されている請求項１〜４のいずれか一項に記載の尿パッド。
【請求項６】
前記吸収体は、折り畳まれた際に折り目となる位置に沿って分割された複数の吸収体から構成されている請求項１〜５のいずれか一項に記載の尿パッド。
【請求項７】
接合された前記端部に、前記吸収体と比較して剛性が高い補強材が配設されている請求項１〜６のいずれか一項に記載の尿パッド。
【請求項８】
接合された前記端部に、把手が付設されている請求項１〜７のいずれか一項に記載の尿パッド。
【発明の詳細な説明】
【技術分野】
【０００１】
本発明は、使い捨ておむつと同様に、吸収体と、少なくとも一部が液透過性材料からなり、吸収体の表面を被覆するように配置されたトップシートと、液不透過性材料からなり、吸収体の裏面を被覆するように配置されたバックシートとを備えた吸収性物品である尿パッドに関するものである。
【背景技術】
【０００２】
近年、おむつを交換する際の労力を軽減するため、使い捨ておむつと、尿パッド（「インナーパッド」、「補助パッド」等とも称される。）を併用することが行われている。例えば、成人用の使い捨ておむつをそのまま着用者の肌に宛がうのではなく、使い捨ておむつのトップシート側の面に尿パッドを積層し、尿パッドが積層された状態の使い捨ておむつを着用者の肌に宛がう。こうすることで、着用者が排泄した場合でも尿パッドのみを交換すれば足り、使い捨ておむつはそのまま使用することができる。このような方法は、排泄の度に使い捨ておむつ全体を交換する方法と比較すると交換が容易であるため、介護者の労力が軽減される。また、尿パッドは使い捨ておむつよりも低廉であるため、排泄の度に使い捨ておむつ全体を交換する方法と比較してコスト的にも有利である。
【０００３】
一般に、前記尿パッドとしては、矩形状を呈する平型の尿パッドが使用されている。例えば、パッドの平面中央上部に切込みを入れ貫通孔を形成した矩形状平型の尿とりパッドが開示されている（特許文献１参照）。
【０００４】
【特許文献１】特開平１１−２１６１５５号公報
【発明の開示】
【発明が解決しようとする課題】
【０００５】
特許文献１に記載の尿とりパッドは、パッドの平面中央上部に切込みを入れて貫通孔を形成した構造とし、漏れが発生し難いように工夫がなされたものである。しかしながら、特許文献１に記載の尿とりパッドのような矩形状平型の尿パッドは、麻痺や関節拘縮（関節が固くなり、曲げ伸ばしが困難な状態）の人、或いは仰向け寝ができず、側臥位の姿勢しかとることができない人に対して装着することが困難であるという課題があった。即ち、麻痺や関節拘縮の人は股関節の可動域が狭く、股を大きく開くことができない場合が多い。また、側臥位の姿勢しかとることができない人も、その姿勢から股を大きく開くことが困難である。これらのケースでは、特許文献１に記載の尿とりパッドのような矩形状平型の尿パッドは、狭い股間の隙間を通して差し込むことが難しく、着用者の肌に密着するように尿パッドを配置することが困難であった。即ち、迅速・簡便に交換が可能なものとは言えず、未だ改善の余地を残すものであった。
【０００６】
本発明は、このような従来技術の有する問題点に鑑みてなされたものであり、麻痺や関節拘縮の人、或いは仰向け寝ができず、側臥位の姿勢しかとることができない人のように、股を大きく開くことができない人であっても、装着が容易で、迅速かつ簡便に交換作業を行うことができる尿パッドを提供するものである。
【課題を解決するための手段】
【０００７】
本発明者は、前記のような従来技術の課題を解決するために鋭意検討した結果、パッドが予め折り畳まれた状態で接合されていれば狭い股間の隙間にも容易に差し込むことができ、迅速かつ簡便な交換が達成可能であることに想到した。そして、幅方向に折り畳んだ状態で前端部及び後端部のうちの少なくとも一方の端部を接合することによって、上記課題が解決されることに想到し、本発明を完成させた。具体的には、本発明により、以下の尿パッドが提供される。
【０００８】
［１］  吸収体と、少なくとも一部が液透過性材料からなり、前記吸収体の表面を被覆するように配置されたトップシートと、液不透過性材料からなり、前記吸収体の裏面を被覆するように配置されたバックシートと、を備えた尿パッドであって、幅方向に少なくとも１回折り畳まれ、折り畳まれることによって表面同士又は裏面同士が当接され、当接された表面同士又は裏面同士が、前端部及び後端部のうちの少なくとも一方の端部において接合されている尿パッド。
【０００９】
［２］  当接された表面同士又は裏面同士が、前端部及び後端部のうちの少なくとも一方の端部において剥離可能に仮止めされている前記［１］に記載の尿パッド。
【００１０】
［３］  当接された表面同士又は裏面同士が、前後方向の中央部において剥離可能に仮止めされている前記［１］又は［２］に記載の尿パッド。
【００１１】
［４］  接合された前記端部の幅が製品幅よりも狭く構成されている前記［１］〜［３］のいずれかに記載の尿パッド。
【００１２】
［５］  前記吸収体は、折り畳まれた際に折り目となる位置に沿って、凹部又は打ち抜き部が形成されている前記［１］〜［４］のいずれかに記載の尿パッド。
【００１３】
［６］  前記吸収体は、折り畳まれた際に折り目となる位置に沿って分割された複数の吸収体から構成されている前記［１］〜［５］のいずれかに記載の尿パッド。
【００１４】
［７］  接合された前記端部に、前記吸収体と比較して剛性が高い補強材が配設されている前記［１］〜［６］のいずれかに記載の尿パッド。
【００１５】
［８］  接合された前記端部に、把手が付設されている前記［１］〜［７］のいずれかに記載の尿パッド。
【発明の効果】
【００１６】
本発明の尿パッドは、麻痺や関節拘縮等の理由により、又は側臥位の姿勢しかとることができないために、股を大きく開くことができない人に対しても、装着が容易で、迅速かつ簡便に交換作業を行うことができる。
【発明を実施するための最良の形態】
【００１７】
以下、本発明の尿パッドを実施するための最良の形態について具体的に説明する。但し、本発明はその発明特定事項を備える尿パッドを広く包含するものであり、以下の実施形態に限定されるものではない。
【００１８】
［１］：本発明の尿パッドの特徴：
本発明の尿パッドは、図１Ａ〜図１Ｄに示す尿パッド１Ａのように、幅方向に少なくとも１回折り畳まれ、折り畳まれることによって表面同士又は裏面同士（図示の例ではバックシート２０の表面同士）が当接され、当接された表面同士又は裏面同士が、前端部２及び後端部６のうちの少なくとも一方の端部（この例では前端部２）において接合されているものである（接合部５０）。
【００１９】
尿パッド１Ａのように、予めパッドを折り畳んだ状態で接合しておくことで、尿パッド１Ａを折り畳んだ状態のまま着用者の股間に差し込むことができる。従って、麻痺や関節拘縮等の理由により、又は側臥位の姿勢しかとることができないために、股を大きく開くことができない人の股間にも、尿パッド１Ａを容易に差し込むことができ、迅速・簡便な交換が可能となる。また、尿パッドを股間に差し込んだ後に、図１Ｄに示すように、接合されていない端部（後端部６）側の部分を平型に広げることができる。従って、折り畳んだ状態のままよりも、着用者の肌に対して尿パッド１Ａの表面（トップシート１８側の表面）をより密着させることができ、漏れを抑制することができる。
【００２０】
一方、平型の尿パッドの場合、パッドの両側縁が着用者の内腿に当たるため、股を大きく広げないと股間にパッドを差し込むことが難しい。また、尿パッドは、通常、幅方向の両側縁部を内側に折り返すように折り畳み（Ｃ折り）、かつ、前後方向に三つ折りに折り畳んだ状態で市販される。そのため、尿パッドは前記のように折り畳んだ状態の折り癖がついていることとなり、使用時に前記折り癖とは別の形状（幅方向に二つ折り）に折り畳もうとしても、柔軟で剛性が低いため、きちんと折り畳むことが難しい。また、たとえ折り畳むことができたとしてもその状態を保持することが困難である。従って、パッドを折り曲げた状態のまま着用者の股間に差し込むことは困難である。
【００２１】
［１−１］折り畳みの形態：
本発明の尿パッドは、図１Ｂに示す尿パッド１Ａのように、幅方向に少なくとも１回折り畳まれた構造となっている。一般に、尿パッドは、図１Ｂに示す尿パッド１Ａのように、吸収体２２、トップシート１８及びバックシート２０の積層体として構成されるため、本発明の尿パッドは、前記積層体が一体的に折り畳まれることになる。
【００２２】
「幅方向」とは、尿パッドの前後方向と直交する方向、即ち左右方向を意味する。尿パッドは、略矩形状等、前後方向が長く、左右方向が短い形状に構成されることが多い。従って、通常は、短手方向が「幅方向」となる。「幅方向に折り畳む」とは、幅方向中心線又はこれと平行な直線を折り目として尿パッドを折り畳むことを意味する。図１Ａ〜図１Ｃに示す尿パッド１Ａは、幅方向中心線Ｌｃを折り目として折り畳んだ例である。
【００２３】
なお、「幅方向中心線」とは、図１Ｃに示すように、尿パッド１Ａの前後方向に向かって、尿パッド１Ａの幅方向中央を通過する直線である。また、尿パッド１Ａの前端Ｅ１の中点と後端Ｅ２の中点とを結ぶ直線と言い換えることもできる。
【００２４】
「少なくとも１回」とは、尿パッドが１回のみならず複数回折り畳まれた構造のものも本発明の範囲に含まれることを意味する。但し、折り畳み回数が多くなると幅方向に厚みが出てしまうために着用者の狭くなった股間の隙間に差し込み難くなる。従って、折り畳み回数は１〜３回とすることが好ましく、１回とすることが好ましい。
【００２５】
尿パッドを折り畳む際の折り方は、図１Ｂに示す尿パッド１Ａのような、尿パッドの表面側（トップシート１８側）を凸、裏面側（バックシート２０側）を凹とする山折りであってもよいし、図２Ａに示す尿パッド１００Ａのような、尿パッドの表面側（トップシート１８側）を凹、裏面側（バックシート２０側）を凸とする谷折りであってもよい。
【００２６】
山折りとすると、着用者の股間の形状と近似した形状になるため、尿パッドを着用者の肌に対して密着させ易く、実質的な吸収面積をも大きくすることができる。従って、着用者の肌を伝って尿が漏れる、いわゆる伝い漏れを防ぐことができ、また、排尿部の至近の位置で尿を受けて吸収させることができるので、伝い漏れ以外の漏れも生じ難いという効果がある。谷折りとすると、尿パッド全体を凹型にし易く、尿を受け易い形状であると言える。従って、山折りの場合と比較して、尿パッドの表面を伝って側縁から尿が漏れることが少ないという効果がある。また谷折りで形成される空間に男性器が収まり易く、肌当たりや着用感がよいという効果もあるので、特に男性用の尿パッドとしても好適に用いることができる。なお、尿パッドを複数回折り畳む場合には、図２Ｃに示す尿パッド１００Ｃのように、山折りと谷折りが混在していてもよい。
【００２７】
折り畳み構造の具体的な形態としては、ａ）図１Ｂに示す尿パッド１Ａのような、山折りに１回折り畳まれた断面逆Ｕ字型、ｂ）図２Ａに示す尿パッド１００Ａのような、谷折りに１回折り畳まれた断面Ｕ字型、ｃ）図２Ｂに示す尿パッド１００Ｂのような、山折りと谷折りに１回ずつ折り畳まれた断面Ｎ字型、ｄ）図２Ｃに示す尿パッド１００Ｃのような、山折り、谷折り、山折りの順に計３回折り畳まれた断面Ｍ字型、ｅ）図２Ｄに示す尿パッド１００Ｄのような、谷折り、山折り、谷折りの順に計３回折り畳まれた断面Ｗ字型、等の形態を挙げることができる。
【００２８】
折り畳む際の折り目は、尿パッドの幅が略均等に分割される位置に形成することが好ましい。例えば、図１Ｂに示す尿パッド１Ａ及び図２Ａに示す尿パッド１００Ａは、幅方向中心線Ｌｃを折り目として左右の領域が略均等となるように二つ折りに折り畳まれた形態である。このような二つ折りの形態は、左右対称な形状であり、左右の方向性がないという利点があり好ましい。また、図２Ｂに示す尿パッド１００Ｂも、二つの折り目によって尿パッドの幅が略三等分されるように三つ折りに折り畳まれた形態である。この形態は左右非対称な形態であるが、側臥位の着用者に対して適用する場合に、着用者の身体の下側に、尿を受け易い谷折り部を、着用者の身体の上側に、伝い漏れが生じ難い山折り部を配置して使用すると、漏れを効果的に防止することができ好ましい。
【００２９】
また、幅方向中心線を折り目として左右の領域が略均等となるように二つ折りに折り畳まれた後、更に側縁部が幅狭く折り畳まれた形態も好ましい。例えば、図２Ｃに示す尿パッド１００Ｃは、図２Ａに示す尿パッド１００Ａの形態の変形例であり、幅方向中心線Ｌｃを折り目として左右の領域が略均等となるように二つ折り（谷折り）に折り畳まれた後、更に側縁部が幅狭く折り畳まれた例である。また、図２Ｄに示す尿パッド１００Ｄは、図１Ｂに示す尿パッド１Ａの変形例であり、幅方向中心線Ｌｃを折り目として左右の領域が略均等となるように二つ折り（山折り）に折り畳まれた後、更に側縁部が幅狭く折り畳まれた例である。これらの形態は、図１Ｂ又は図２Ａに示す形態と比較して、谷折りの利点と山折りの利点の双方を併せ持つ形態であるため好ましい。
【００３０】
以上説明した形態の中では、包装工程も含めて、生産が容易で、着用者の股間の狭い隙間にも差し込み易いという理由から、図１Ａ、図２Ａに示す形態が好ましく、尿パッドが尿を受け易い凹型に形成され、漏れが発生し難い点で、図２Ａに示す形態が特に好ましい。
【００３１】
本発明の尿パッドは、前記のように折り畳まれることによって表面同士又は裏面同士が当接される。「表面」とは、尿パッドの表面を意味し、トップシートの表面のみならず、尿パッドを構成する部材の着用者の肌と接する側の面全体を指す。一方、「裏面」とは、尿パッドの裏面を意味し、バックシートの表面のみならず、尿パッドを構成する部材の着衣（使い捨ておむつ等も含む。）と接する側の面を意味する。例えば、バックシートの表面の一部又は全部がカバーシートによって被覆されている場合には、カバーシートの表面同士、又はカバーシートの表面とバックシートの表面とが当接されている形態も「裏面同士が当接」しており、本発明の範囲に含まれる。
【００３２】
［１−２］接合の形態：
本発明の尿パッドは、前記のように当接された表面同士又は裏面同士が、前端部及び後端部のうちの少なくとも一方の端部において接合されている。尿パッドの中央部のみを接合してもある程度の効果は得られるが、最初に着用者の股間に差し込まれる尿パッドの前端部又は後端部が接合されていた方が尿パッドを着用者の股間に差し込み易いからである。
【００３３】
「前端部及び後端部のうちの少なくとも一方の端部」とは、尿パッドの前端部及び後端部のうちのいずれか一方の端部又は双方の端部を意味する。即ち、前端部のみ又は後端部のみが接合されていてもよいし、前端部と後端部の双方が接合されていてもよい。そして、前端部又は後端部が接合されている限り、他の部分（例えば、中央部）が接合されていてもよい。但し、一方の端部のみを接合した形態は、図１Ｄに示すように、接合されていない端部（後端部６）側の部分を平型に広げることができる。従って、着用者の肌に対して尿パッド１Ａの表面（トップシート１８側の表面）をより密着させることができ、漏れを抑制することができる。また、平型に広げることにより仰臥位及び側臥位の姿勢で尿がまわり込みやすい後側（お尻側）の吸収面積を広く確保することにもなるので、漏れを抑制することができる。なお、男性の場合は、平型に広げた部分を腹側にして男性器周りの吸収面積を広く確保して、漏れを効果的に抑制することもできる。
【００３４】
なお、本明細書においては、尿パッドの前後方向の最も長い部分を基準（全長）として、尿パッドの前端から２０％長さまでの部分を「前端部」、尿パッドの後端から２０％長さまでの部分を「後端部」、前端部と後端部を除いた尿パッドの中央側６０％長さの部分を「中央部」とする。
【００３５】
接合の方法について特に制限はない。ホットメルト接着剤等の接着剤による接着、メカニカルファスナーによる機械的な係合、粘着剤による接着、ヒートシールによる熱融着等の方法を挙げることができる。また、接合には剥離可能な仮止めも含まれる。
【００３６】
本発明の尿パッドは、当接された表面同士又は裏面同士が、前端部及び後端部のうちの少なくとも一方の端部において剥離可能に仮止めされていることが好ましい。接合を仮止めとすることで、尿パッドを折り畳んで接合した状態で着用者の股間に差し込み、その後、仮止めを剥離して尿パッドを平型に広げることが可能となる。このような形態は、尿パッドを容易に股間に差し込むことが可能となる。また、使用時には尿パッドと着用者の肌との接触面積を増やして漏れを有効に防止することができるという利点がある。
【００３７】
例えば、尿パッドの前端部を通常の方法で接合し、後端部を剥離可能な仮止めで接合する形態も好ましい。このような形態は、尿パッドを着用者の股間に差し込む際に両端部が接合されているため股間の狭い隙間にも容易に尿パッドを差し込むことができる。また、使用時には仮止め部を剥離することができるため、図１Ｄに示す尿パッド１Ａと同様に、後端部側の部分を平型に広げて、着用者の肌に対して尿パッドの表面をより密着させ、漏れを抑制することもできる。
【００３８】
なお、「剥離可能に仮止めされている」とは、人間の力で容易に剥離可能な程度に、且つ、剥離した際に仮止めされているトップシート等の素材が破れ、穴開き等の破損を生じない程度に固着されていることを意味する。
【００３９】
具体的には、ＪＩＳ  Ｋ６８５４に準拠して測定された１８０°ピールの剥離力が０．３〜５．０Ｎの範囲で固定されていることが好ましい。剥離力が０．３Ｎ未満の場合には、接着力が弱すぎて、尿パッドを装着する際等、剥離を要しない場面でも、意図せず剥がれてしまうことがある。また、剥離力が５．０Ｎを超える場合には、接着力が強すぎて仮止め部がなかなか剥離できない場合がある。前記効果をより確実に得るためには、剥離力が０．５〜３．０Ｎの範囲であることがより好ましい。
【００４０】
前記のような剥離力で仮止めされている限り、仮止めの方法は特に限定されないが、例えば、ホットメルト接着剤による接着、熱エンボス加工、超音波溶着等、極めて弱い溶着又は圧着等の方法を挙げることができる。
【００４１】
本発明の尿パッドは、当接された表面同士又は裏面同士が、前後方向の中央部において剥離可能に仮止めされていることも好ましい。尿パッドの端部ではなく、中央部が仮止めされていることにより、仮止めを剥がす位置や面積によって尿パッドの広げ具合を調整することができる。この形態には、ａ）端部に強固部（非仮止め部）が形成され、中央部に仮止め部が形成された形態の他、ｂ）端部と中央部の双方に仮止め部が形成された形態が含まれる。
【００４２】
例えば、図３Ａ〜図３Ｃに示す尿パッド１Ｂは、端部（前端部２及び後端部６）と中央部４の双方に仮止め部５２が配置された形態である。尿パッド１Ｂは、バックシート２０同士の当接面のほぼ全域に渡って仮止め部５２が配置されているため、着用者の股間に尿パッド１Ｂを差し込む際に、尿パッド１Ｂの折り畳み形状が確実に維持される。また、尿パッド１Ｂの使用時には仮止め部５２の全部又は一部を所望の形状に剥離することができる。従って、着用者の体型に適合した形状に尿パッド１Ｂを広げることができ、漏れが発生し難い。
【００４３】
図４Ａ〜図４Ｃに示す尿パッド１Ｃのように、当接面において、複数の仮止め部５２が断続的に形成されている形態も好ましい。このような形態は、当接面の全域に渡って仮止め部が形成されている形態と比較して、仮止め部５２を剥離する数で段階的に尿パッド１Ｃの広げ具合を調整することができるという利点がある。
【００４４】
図４Ａに示す例は、矩形状の仮止め部５２が断続的に形成された例である。前端部２から中央部４にかけて３箇所に形成された仮止め部５２は各々長さが異なっており、尿パッド１Ｃの幅方向中心線Ｌｃに近い仮止め部５２ほど長く形成されている。このような形態は、尿パッド側縁側の仮止め部５２が短いため、仮止め部５２を剥離しなくとも尿パッド１Ｃの後端部６側を広げることができる。そして、着用者の体型に合わせて仮止め部５２を１箇所ないし複数箇所剥離することで、尿パッド１Ｃの広げ具合を３段階で微調整することができる。
【００４５】
複数の仮止め部を断続的に形成する場合、仮止め部の形状は、図４Ａ〜図４Ｃに示すような長さの異なる矩形状に限定されるものではない。例えば、小円形状の仮止め部をマトリクス状（行列状）に配置すれば、２方向に向かって段階的に仮止め部を剥離することができ、より簡便にかつ精密に尿パッドの広げ具合を微調整することができる。
【００４６】
複数の仮止め部を断続的に形成する場合には、全ての仮止め部の剥離力を同等とする必要はなく、目的に応じて異なる値としてもよい。本発明の尿パッドは、折り畳んだ際の折り目に近い仮止め部の剥離強度よりも折り目から遠い仮止め部の剥離強度が低くなっていることが好ましい。例えば、図４Ａ〜図４Ｃの尿パッド１Ｃにこの形態を適用するならば、一番短い仮止め部５２の剥離強度が最も低く、一番長い仮止め部５２の剥離強度が最も高くなるように構成すればよい。
【００４７】
前記のような構成は、折り目から遠い仮止め部の剥離強度を低くして剥がし易くする一方、折り目に近い仮止め部５２の剥離強度を高くして剥し難くすることができる。即ち、剥離する可能性の高い部位は剥がし易く、それ以外の部分については意図せず剥離することがないように剥がし難く構成することができる。
【００４８】
［１−３］尿パッド全体の形態：
折り畳み及び接合の形態を除く、尿パッド全体の形態については特に制限はない。但し、折り畳み前の形状が略矩形状、略楕円形状等の縦長形状であることが好ましい。このような形状であると、排泄器官全体を確実に覆うことができ、かつ、着用者の股間に差し込み易いという利点がある。
【００４９】
本発明の尿パッドは、図５Ａ及び図５Ｂに示す尿パッド１Ｄ、図６Ａ及び図６Ｂに示す尿パッド１Ｅ、図７Ａ〜図７Ｃに示す尿パッド１Ｆのように、接合された端部（図示の例ではいずれも前端部２）の幅Ｗ１が製品幅Ｗ２よりも狭く構成されていることが好ましい。尿パッドを折り畳んだ状態で接合しておくことに加え、その接合する端部の幅を狭く構成することで、更に着用者の股間に尿パッドを差し込み易くなる。
【００５０】
ここに言う「幅」とは、図５Ｂ等に示すように、尿パッドを折り畳む前の状態における幅を意味する。通常、尿パッドの製品幅Ｗ２は、１８０〜４５０ｍｍ程度であり、図示の例では幅が調整されていない中央部４の最大幅がこれに当たる。接合した端部の幅は、狭い股間の隙間に差し込み易いという理由から、２５０ｍｍ以下とすることが好ましく、２００ｍｍ以下とすることが更に好ましい。一方、股間の隙間に差し込んだ尿パッドは、位置決めを行うために差し込んだ側とその反対側からある程度引っ張り出す必要があるが、その際に股間の隙間から尿パッドを引き出す際のタブとして機能させるに足る大きさを確保するべく、５０ｍｍ以上とすることが好ましく、１００ｍｍ以上とすることが更に好ましい。
【００５１】
また、本発明の尿パッドは、吸収体が折り畳まれた際に折り目となる位置に沿って、凹部又は打ち抜き部が形成されていることが好ましい。凹部や打ち抜き部のような脆弱部を形成しておくことで、その部分が折り曲げ易くなるため、折り畳まれて接合された状態を維持し易くなる。
【００５２】
図７Ａ〜図７Ｃに示す尿パッド１Ｅは、幅方向中心線Ｌｃに沿って折り畳まれた尿パッドであり、幅方向中心線Ｌｃに沿って、エンボス加工により吸収体２２に凹部５４（溝）を形成した例である。また、図８Ａ〜図８Ｃに示す尿パッド１Ｆも幅方向中心線Ｌｃに沿って折り畳まれた尿パッドであり、幅方向中心線Ｌｃに沿って、吸収体２２の一部が線状に打ち抜かれて打ち抜き部５６が形成されている例である。
【００５３】
凹部や打ち抜き部を形成する位置は折り目に沿っている限り特に制限はない。但し、図７Ａ〜図７Ｃに示す尿パッド１Ｆや図８Ａ〜図８Ｃに示す尿パッド１Ｇのように、接合した端部（図示の例では前端部２）近傍に、凹部５４や打ち抜き部５６が形成されていることが好ましい。本発明の尿パッドは、接合した端部側から着用者の股間に尿パッドを差し込むことを意図しているため、その部分が折り畳まれて接合された状態を維持していることが望ましいからである。
【００５４】
本発明の尿パッドは、図９Ａ〜図９Ｃに示す尿パッド１Ｉのように、吸収体２２が、尿パッド１Ｉの折り目に沿って分割された複数の吸収体２２ａ，２２ｂから構成されていることが好ましい。吸収体を分割することで、折り目に相当する部分に吸収体が存在しないことになり、凹部を形成した場合や一部に打ち抜き部形成した場合と比較して折り畳まれて接合された状態を維持し易くなる。この形態は、吸収体の折り目に相当する部分に打ち抜き部を形成する形態の極端な例と言える。
【００５５】
なお、図９Ａ〜図９Ｃに示す尿パッド１Ｉは、幅方向中心線Ｌｃを折り目とし、この部分で吸収体を２つに分割しているが、折り目が複数ある場合には、吸収体を３つ以上に分割してもよい。
【００５６】
本発明の尿パッドは、図１０Ａ〜図１０Ｃに示す尿パッド１Ｊのように、接合された端部（図示の例では前端部２）に、吸収体２２と比較して剛性が高い補強材５８が配設されていることが好ましい。本発明の尿パッドは接合された端部側から着用者の股間に差し込んで使用する。しかしながら、尿パッドを薄型に設計した場合等においては、コシがなく柔らかい吸収体を用いることになるため、折り畳んだ状態で股間に差し込もうとしても、中途で折れる等して、尿パッドを股間に差し込み難い場合がある。このような場合に、吸収体と比較して剛性が高い（即ち、コシがあって、ある程度の硬さをもった）補強材が配設されていると、尿パッドを股間に差し込み易くなる。
【００５７】
補強材の材質としては、ウレタンフォーム、フェルト、ポリエチレン系樹脂等の樹脂、エアレイド不織布等からなる板状体を挙げることができる。但し、着用時に異物感を与えない材質であることが好ましい。例えば、本来的な吸収体と比較して剛性が高い吸収体を補強材として配設することも好ましい形態の一つである。異物感を与え難く、本来的な吸収体の吸収性能を補助する役割も果たすからである。
【００５８】
なお、補強材の剛性値については、ハンドルオ・メーターによる測定値で１００〜７００ｇであることが好ましく、１５０〜６００ｇであることが更に好ましい。上記剛性値が１００ｇ未満であると、剛性が不足するので股間部の狭い隙間に通す際に差し込み難くなるおそれがある。一方、７００ｇ超であると硬くなるので、着用者の姿勢によっては皮膚に当たって痛みを感じ、着用感が悪くなるおそれがある。ここで、本明細書において「剛性値」とは、ハンドルオ・メーターによる測定値である。ＪＩＳ  Ｌ１０９６に準じて測定を行うものとし、長さ１５０ｍｍ、幅５０ｍｍのサンプルをブレードで押圧した際に必要となる力を測定した値である。
【００５９】
本発明の尿パッドは、図１１Ａ及び図１１Ｂに示す尿パッド１Ｋのように、接合された端部（図示の例では前端部２）に、把手６０が付設されていることが好ましい。把手を付設することで、着用者の背側から尿パッドの一部を股間に差し込んだ後、着用者の腹側から把手を引っ張ることが可能となり、狭い股間であっても比較的容易に尿パッドを差し込むことが可能となる。また、尿パッドの使用後においても把手を引っ張ることで狭い股間から容易に尿パッドを引き抜くことができる。
【００６０】
把手の材質としては、肌に対する当たりが柔らかく、触感にも優れる不織布製のシート等を好適に用いることができる。把手の形状は特に限定されるものではないが、図１１Ａ及び図１１Ｂに示す把手６０のように、把手６０を引っ張る際に指を挿入できる孔６２が形成されていることが好ましい。
【００６１】
［２］尿パッドの他の構成部材：
本発明の尿パッドは、図１Ａ〜図１Ｃに示す尿パッド１Ａのように、吸収体２２と、少なくとも一部が液透過性材料からなり、吸収体２２の表面を被覆するように配置されたトップシート１８と、液不透過性材料からなり、吸収体２２の裏面を被覆するように配置されたバックシート２０と、を備えるものである。
【００６２】
［２−１］吸収体：
「吸収体」は、着用者の尿等を吸収し、保持するための部材であり、吸収性材料によって構成される。通常、吸収体はトップシートとバックシートの間に挟みこまれ、両シートと一体化された状態で用いられる。
【００６３】
「吸収性材料」としては、例えば、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す。）、親水性シート等を挙げることができる。「フラッフパルプ」としては、木材パルプや非木材パルプを綿状に解繊したものを、「ＳＡＰ」としては、ポリアクリル酸ナトリウムを、「親水性シート」としては、ティシュ、吸収紙、親水化処理を行った不織布等を用いることが好ましい。
【００６４】
吸収体は、１種又は２種以上の吸収性材料を単層又は複層のマット状に成形したものを用いることが好ましい。中でも、フラッフパルプ１００質量部に対して、１０〜５００質量部のＳＡＰを併用したものが好ましい。この際、ＳＡＰはフラッフパルプのマット中に混在させるか、フラッフパルプのマットの層間に層状に配置して用いればよい。
【００６５】
［２−２］トップシート：
トップシートは、着用者の尿等を透過させる必要から、その少なくとも一部（全部又は一部）が液透過性材料により構成される。
【００６６】
「液透過性材料」としては、織布、不織布、多孔性フィルム等を挙げることができる。中でも、ポリプロピレン、ポリエチレン、ポリエステル、脂肪族ポリアミド等の熱可塑性樹脂からなる不織布に親水化処理を施したものを用いることが好ましい。
【００６７】
「不織布」としては、エアスルー（カード熱風）、カードエンボス等の製法によって製造された不織布を好適に用いることができる。「親水化処理」は、界面活性剤を塗布、スプレー、含浸等させることにより行うことができる。
【００６８】
トップシートは、「少なくとも一部」、具体的には、トップシートを平面的に見た場合に、少なくとも吸収体の表面近傍は液透過性材料により構成されていることが好ましい。
【００６９】
［２−３］バックシート：
バックシートは、吸収体の裏面（尿パッドの装着時において着用者の肌から遠い側に位置する面）を被覆するように配置されるシートである。バックシートは、着用者の尿が尿パッド外部に漏洩してしまうことを防止する必要から、液不透過性材料によって構成される。
【００７０】
バックシートの配置位置については特に制限はない。吸収体で吸収された尿の漏れを防止するという観点から、少なくとも吸収体の存在する部分にバックシートが配置されていることが好ましい。
【００７１】
バックシートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、おむつ内部の蒸れを防止することができるという利点がある。
【００７２】
なお、バックシートの外表面側にカバーシートを貼り合わせてもよい。このカバーシートは、バックシートを補強し、バックシートの手触り（触感）を良好なものとするために用いられる。
【００７３】
カバーシートを構成する材料としては、例えば、織布、不織布等を挙げることができる。中でも、ポリエチレン、ポリプロピレン、ポリエステル等の熱可塑性樹脂からなる乾式不織布、湿式不織布を用いることが好ましい。
【００７４】
［２−４］立体ギャザー：
本発明の尿パッドは、図８Ａ〜図８Ｃに示す尿パッド１Ｇのように、撥水性シート３２からなり、吸収体２２の両側に配置された少なくとも一対の立体ギャザー２６を備えていることが好ましい。
【００７５】
立体ギャザーの構成は、従来の使い捨ておむつ、尿パッドに使用される構成を採用することができる。例えば、図８Ｂに示す尿パッド１Ｇのように、撥水性シート３２の層間に伸縮材（立体ギャザー伸縮材３６）を挟み込んで固定し、その立体ギャザー伸縮材３６の収縮力によってギャザー（襞）を形成したもの等を好適に用いることができる。撥水性シートは、カードエンボス、スパンボンド等の製法により製造された不織布であってもよいが、防水性の高いＳＭＳ、ＳＭＭＳ等の不織布シートが更に好ましい。
【００７６】
なお、立体ギャザーは、図８Ｂに示す尿パッド１Ｇのように、立体ギャザー２６用の撥水性シート３２を別途付設してもよいし、尿パッドを構成するシート材（例えば、バックシート２０）の一部によって形成してもよい。
【００７７】
［２−５］伸縮材：
本発明の尿パッドには、図１Ａ〜図１Ｃに示す尿パッド１Ａのように、その両側縁部等に伸縮材４０を配置してもよい。この伸縮材を配置することによって、尿パッドの両側縁部に伸縮性に富むギャザーを形成することができる。従って、尿パッドの両側縁部に隙間が形成され難くなり、いわゆる横漏れを効果的に防止することができる。
【００７８】
図８Ａ〜図８Ｃに示す尿パッド１Ｇのように立体ギャザー２６が付設されている場合には、立体ギャザー２６の起立線より外側の部分に、伸縮材が配置されていることが好ましい。このような構成とすると、立体ギャザーの十分な防漏効果を確保しつつ、股下部の装用感・装着感を向上させることができる。
【００７９】
伸縮材については、ギャザーの収縮の程度等を勘案した上で、構成材料、その材料の伸長率、固定時の伸長状態等を決定すればよい。
【００８０】
伸縮材としては、従来の使い捨ておむつや尿パッドで使用されてきた伸縮材を好適に用いることができる。具体的には、天然ゴムからなる平ゴムや合成ゴム（ウレタンゴム等）の弾性糸からなる糸ゴムの他、伸縮性ネット、伸縮性フィルム、伸縮性フォーム（ウレタンフォーム等）等を挙げることができる。
【００８１】
伸縮材は、十分な伸縮力を作用させるため、伸長状態で固定することが好ましい。例えば、伸縮材が天然ゴムからなる平ゴムや合成ゴムの弾性糸からなる糸ゴムである場合には、１２０〜４００％の伸長状態で固定することが好ましく、２００〜３００％の伸長状態で固定することがより好ましい。このような範囲の伸長状態で固定することにより、着用者に対して過度の締め付け力を作用させることなく、十分な伸縮力を作用させることが可能となる。
【００８２】
前記のような伸縮材は、尿パッドの他の構成部材に対して、接着剤その他の手段により固定される。固定方法としては、例えば、ホットメルト接着剤、その他の流動性の高い接着剤を用いた接着であってもよいし、ヒートシールをはじめとする熱や超音波等による溶着であってもよい。
【実施例】
【００８３】
本発明の尿パッドについて、図面を参照しながら更に具体的に説明する。但し、本発明の尿パッドは、その発明特定事項を備えた尿パッドを全て包含するものであり、以下の実施例に限定されるものではない。
【００８４】
〔実施例１〕
実施例１の尿パッドとして、図１Ａ〜図１Ｃに示す尿パッド１Ａを作製した。この尿パッド１Ａは、成人用の尿パッドであり、長さを４９０ｍｍ、幅を２１０ｍｍとした。吸収体は厚さ４ｍｍ、剛性値２００ｇの平型のもの（屈曲形状に成形されていないもの）を用いた。
【００８５】
図１Ａ〜図１Ｃに示すように、尿パッド１Ａは、幅方向中心線Ｌｃを折り目として、尿パッド１Ａの表面側（トップシート１８側）を凸、裏面側（バックシート２０側）を凹とする山折りに１回折り畳んだ断面逆Ｕ字型に構成した。
【００８６】
前記の折り畳みによって、バックシート２０の表面同士を当接させ、そのバックシート２０の表面同士を、尿パッド１Ａの前端部２において接合した。接合部５０は、図１Ｃ中、下側の接合部５０に相当する部分にホットメルト接着剤を塗工し、尿パッド１Ａを幅方向中心線Ｌｃに沿って折り畳み、その状態で押圧することにより形成した。これにより、バックシート２０の表面同士を、尿パッド１Ａの前端部２において接合した。ホットメルト接着剤は、前端Ｅ１に沿って前端Ｅ１から５ｍｍ離れた位置に、幅９０ｍｍ×長さ１０ｍｍの矩形状に塗工した。
【００８７】
〔実施例２〕
実施例２の尿パッドとして、図３Ａ〜図３Ｃに示す尿パッド１Ｂを作製した。接合を仮止めとし、接合部５０（仮止め部５２）をバックシート２０同士の当接面のほぼ全域に渡って配置したことを除いては、実施例１の尿パッドと同様に作製した。
【００８８】
仮止め部５２は、ホットメルト接着剤により形成した。実施例１で用いたホットメルト接着剤にワックスを加え、常温でのタックを低下させることによって、剥離力を低下させた。具体的には、ＪＩＳ  Ｋ６８５４に準拠して測定された１８０°ピールの剥離力を１．５Ｎとした。ホットメルト接着剤は前端Ｅ１から１０ｍｍ離れた位置に、幅９０ｍｍ×長さ４７０ｍｍの矩形状に塗工した。
【００８９】
〔実施例３〕
実施例３の尿パッドとして、図４Ａ〜図４Ｃに示す尿パッド１Ｃを作製した。バックシート２０同士の当接面おいて、複数の仮止め部５２を断続的に形成したことを除いては、実施例２の尿パッドと同様に作製した。
【００９０】
仮止め部５２は、実施例２で用いたホットメルト接着剤により形成した。ホットメルト接着剤は前端Ｅ１から５ｍｍ離れた位置に、前端部２から中央部４にかけて３箇所に塗工した。塗工部はいずれも矩形状とし、尿パッド１Ｃの幅方向中心線Ｌｃに近いほど長くなるように形成した。具体的には、いずれも幅は１０ｍｍで、長さが２００ｍｍ、１５０ｍｍ、１００ｍｍの３種類の長さとした。これら３つの塗工部を２０ｍｍ間隔で配置した。
【産業上の利用可能性】
【００９１】
本発明の尿パッドは、乳幼児用又は介護を必要とする高齢者や障害者等の成人用の尿パッドとして利用することができる。中でも、麻痺や関節拘縮等を抱える人用の尿パッドとして特に好適に用いることができる。
【図面の簡単な説明】
【００９２】
【図１Ａ】本発明の尿パッドの一の実施形態を示す概略平面図である。
【図１Ｂ】図１Ａに示す尿パッドのＡ−Ａ’断面を模式的に示す概略断面図である。
【図１Ｃ】図１Ａに示す尿パッドを展開し、バックシート側から見た状態を示す概略展開図である。
【図１Ｄ】図１Ａに示す尿パッドの使用状態を側面から見た状態を示す使用状態図である。
【図２Ａ】本発明の尿パッドを前後方向中央部において切断した断面を模式的に示す概略断面図である。
【図２Ｂ】本発明の尿パッドを前後方向中央部において切断した断面を模式的に示す概略断面図である。
【図２Ｃ】本発明の尿パッドを前後方向中央部において切断した断面を模式的に示す概略断面図である。
【図２Ｄ】本発明の尿パッドを前後方向中央部において切断した断面を模式的に示す概略断面図である。
【図３Ａ】本発明の尿パッドの別の実施形態を示す概略平面図である。
【図３Ｂ】図３Ａに示す尿パッドのＡ−Ａ’断面を模式的に示す概略断面図である。
【図３Ｃ】図３Ａに示す尿パッドを展開し、バックシート側から見た状態を示す概略展開図である。
【図４Ａ】本発明の尿パッドの更に別の実施形態を示す概略平面図である。
【図４Ｂ】図４Ａに示す尿パッドのＡ−Ａ’断面を模式的に示す概略断面図である。
【図４Ｃ】図４Ａに示す尿パッドを展開し、バックシート側から見た状態を示す概略展開図である。
【図５Ａ】本発明の尿パッドの更にまた別の実施形態を示す概略平面図である。
【図５Ｂ】図５Ａに示す尿パッドを展開し、バックシート側から見た状態を示す概略展開図である。
【図６Ａ】本発明の尿パッドの別の実施形態を示す概略平面図である。
【図６Ｂ】図６Ａに示す尿パッドを展開し、バックシート側から見た状態を示す概略展開図である。
【図７Ａ】本発明の尿パッドの別の実施形態を示す概略平面図である。
【図７Ｂ】図７Ａに示す尿パッドのＡ−Ａ’断面を模式的に示す概略断面図である。
【図７Ｃ】図７Ａに示す尿パッドを展開し、バックシート側から見た状態を示す概略展開図である。
【図８Ａ】本発明の尿パッドの更に別の実施形態を示す概略平面図である。
【図８Ｂ】図８Ａに示す尿パッドのＡ−Ａ’断面を模式的に示す概略断面図である。
【図８Ｃ】図８Ａに示す尿パッドを展開し、バックシート側から見た状態を示す概略展開図である。
【図９Ａ】本発明の尿パッドの別の実施形態を示す概略平面図である。
【図９Ｂ】図９Ａに示す尿パッドのＡ−Ａ’断面を模式的に示す概略断面図である。
【図９Ｃ】図９Ａに示す尿パッドを展開し、バックシート側から見た状態を示す概略展開図である。
【図１０Ａ】本発明の尿パッドの更に別の実施形態を示す概略平面図である。
【図１０Ｂ】図１０Ａに示す尿パッドのＡ−Ａ’断面を模式的に示す概略断面図である。
【図１０Ｃ】図１０Ａに示す尿パッドを展開し、バックシート側から見た状態を示す概略展開図である。
【図１１Ａ】本発明の尿パッドの別の実施形態を示す概略平面図である。
【図１１Ｂ】図１１Ａに示す尿パッドを展開し、バックシート側から見た状態を示す概略展開図である。
【符号の説明】
【００９３】
１Ａ，１Ｂ，１Ｃ，１Ｄ，１Ｅ，１Ｆ，１Ｇ，１Ｈ，１Ｉ，１Ｊ，１Ｋ，１００Ａ，１００Ｂ，１００Ｃ，１００Ｄ：尿パッド、２：前端部、４：中央部、６：後端部、１８：トップシート、２０：バックシート、２２，２２ａ，２２ｂ：吸収体、２６：立体ギャザー、３２：撥水性シート、３６：立体ギャザー伸縮材、４０：伸縮材、５０：接合部、５２：仮止め部、５４：凹部、５６：打ち抜き部，５８：補強材、６０：把手、６２：孔、Ｅ１：前端、Ｅ２：後端、Ｌｃ：幅方向中心線、Ｗ１：接合された端部の幅、Ｗ２：通常の製品幅。
【図１Ａ】
2010104658.tif 000003
【図１Ｂ】
2010104658.tif 000004
【図１Ｃ】
2010104658.tif 000005
【図１Ｄ】
2010104658.tif 000006
【図２Ａ】
2010104658.tif 000007
【図２Ｂ】
2010104658.tif 000008
【図２Ｃ】
2010104658.tif 000009
【図２Ｄ】
2010104658.tif 000010
【図３Ａ】
2010104658.tif 000011
【図３Ｂ】
2010104658.tif 000012
【図３Ｃ】
2010104658.tif 000013
【図４Ａ】
2010104658.tif 000014
【図４Ｂ】
2010104658.tif 000015
【図４Ｃ】
2010104658.tif 000016
【図５Ａ】
2010104658.tif 000017
【図５Ｂ】
2010104658.tif 000018
【図６Ａ】
2010104658.tif 000019
【図６Ｂ】
2010104658.tif 000020
【図７Ａ】
2010104658.tif 000021
【図７Ｂ】
2010104658.tif 000022
【図７Ｃ】
2010104658.tif 000023
【図８Ａ】
2010104658.tif 000024
【図８Ｂ】
2010104658.tif 000025
【図８Ｃ】
2010104658.tif 000026
【図９Ａ】
2010104658.tif 000027
【図９Ｂ】
2010104658.tif 000028
【図９Ｃ】
2010104658.tif 000029
【図１０Ａ】
2010104658.tif 000030
【図１０Ｂ】
2010104658.tif 000031
【図１０Ｃ】
2010104658.tif 000032
【図１１Ａ】
2010104658.tif 000033
【図１１Ｂ】
2010104658.tif 000034